(57)【要約】    【課題】  収容室内部の清掃や表面のデザインなどの変更を容易に行なえる小物収容容器を提供する。    【解決手段】  底壁部と、底壁部の周囲から立ち上がる筒状側壁部とが備えられた小物収容容器において、前記筒状側壁部が可撓性を備えたシート状板から形成され、このシート状板の左右両端部には、該シート状板を筒状に変形した状態でその両端部を連結するための連結手段が設けられると共に、シート状板の下端部と底壁部との間には、前記連結手段によりその両端部を連結して形成した筒状側壁部の下端部を前記底壁部に係止するための係止手段が設けられ、連結手段により連結された筒状側壁部は、前記底壁部に対して前記係止手段を介して着脱可能である。  【選択図】  図２
2007054348.tif 000002
【特許請求の範囲】
【請求項１】
底壁部と、底壁部の周囲から立ち上がる筒状側壁部とが備えられた小物収容容器において、前記筒状側壁部が可撓性を備えたシート状板から形成され、このシート状板の左右両端部には、該シート状板を筒状に変形した状態でその両端部を連結するための連結手段が設けられると共に、シート状板の下端部と底壁部との間には、前記連結手段によりその両端部を連結して形成した筒状側壁部の下端部を前記底壁部に係止するための係止手段が設けられ、連結手段により連結された筒状側壁部は、前記底壁部に対して前記係止手段を介して着脱可能であることを特徴とする小物収容容器。
【請求項２】
筒状側壁部の上端開口を閉鎖するため蓋体が備えられ、この蓋体は、筒状側壁部に対して着脱可能となっていることを特徴とする請求項１に記載の小物収容容器。
【発明の詳細な説明】
【技術分野】
【０００１】
本発明は、例えばトイレ用ブラシやトイレでの汚物を収容するための小物収容容器に関する。
【背景技術】
【０００２】
例えばトイレ用ブラシを収容する容器は、底部とこの底壁部の周囲から一体に立ち上がる筒状壁部とから形成された容器本体と、前記筒状壁部に沿って上方に延びて、その上端部にブラシを引っ掛けるためのフックが一体に設けられたブラシ吊り下げ体とから構成され、フックに引掛けたブラシの主としてブラシ部分を筒状壁部内の収容室に収容するようにしている。（特許文献１参照）
ところで以上の収容容器では、収容室の内壁面が汚れ易いにもかかわらず、収容室の内部の清掃が行い難いものであって、収容室内が汚れた場合には、清掃に手間を要して扱い難いものである。
また以上の収容容器では、一度、購入すると表面に施される模様などのデザインを変更することが出来ず、デザインを異なるものに変更したい場合には、収容容器を買い替えねばならないものである。
【特許文献１】特開２０００−８３７３７
【発明の開示】
【発明が解決しようとする課題】
【０００３】
本発明は、以上の実情に鑑みて開発したものであって、目的とするところは、収容室内部の清掃や表面の模様などのデザインの変更も容易に行なえる小物収容容器を提供することにある。
【課題を解決するための手段】
【０００４】
以上の目的を達成するために、請求項１に記載の発明は、底壁部と、底壁部の周囲から立ち上がる筒状側壁部とが備えられた小物収容容器において、
前記筒状側壁部が可撓性を備えたシート状板から形成され、このシート状板の左右両端部には、該シート状板を筒状に変形した状態でその両端部を連結するための連結手段が設けられると共に、シート状板の下端部と底壁部との間には、前記連結手段によりその両端部を連結して形成した筒状側壁部の下端部を前記底壁部に係止するための係止手段が設けられ、連結手段により連結された筒状側壁部は、前記底壁部に対して前記係止手段を介して着脱可能であることを特徴とするものである。
請求項２に記載の発明は、請求項１に記載の小物収容容器において、筒状側壁部の上端開口を閉鎖するための蓋体が備えられ、この蓋体は、筒状側壁部に対して着脱可能となっていることを特徴とするものである。
【発明の効果】
【０００５】
請求項１に記載の発明によれば、シート状板を連結手段を介して筒状に形成し、その筒状側壁部を連結手段により底壁部に係止するだけで、小物収容容器が形づくることが出来、しかも小物収容容器の使用に伴い、円筒状側壁部の内面や底壁部が汚れた場合には、円筒状側壁部を底壁部から取り外し、連結手段の連結を解除してシート状板を広げることで、このシート状板や底壁部の洗浄が容易に行なえるし、また例えば模様の異なるシート状板を別途用意しておき、この用意されたシート状板により円筒状側壁部を形成して、底壁部に適宜付け替えることで、小物収容容器の模様などのデザインを簡単に変更することが出来る。
【０００６】
請求項２に記載の発明によれば、請求項１に記載の発明の効果に加え、小物収容容器を例えば汚物入れなどにも利用することが出来る。
【発明を実施するための最良の形態】
【０００７】
以下、本発明にかかる小物収容容器を説明する。
（第１実施形態）
先ず図１〜図４において符号１で示す小物収容容器は、トイレ用ブラシＢを収容するためのものであって、この小物収容容器１は、基本的には、有底円筒状に形成された底壁部２と、この底壁部２の周囲から立ち上がる円筒状側壁部３と、トイレ用ブラシＢを吊り下げ状態で支持するための支持体４とから構成されている。
底壁部２はプラスチック材から形成され、平面視略円形の底壁２１と、この底壁２１の外周から上方に一体に突出した筒壁２２とが備えられており、筒壁２２の外面には、支持体４を保持するための３つの保持部２３が突設され、これら保持部２３には、支持体４の下端部を挿嵌するための挿嵌穴２４が設けられている。
円筒状側壁部３は、可撓性を備えたシート状板３０、具体的には、正面視横長の長方形としたプラスチック製のシート状板３０から形成され、このシート状板３０の左右両端部には、該シート状板３０を円筒状に変形した状態でその左右両端部を連結するための連結手段５が設けられている。
シート状板３０の表面には模様などが適宜印刷されている。
連結手段５は、シート状板３０の左端部に形成された３つの連結片５１と、シート状板３０の右端部に形成されて、前述の連結片５１が嵌合可能な３つの嵌合孔５２とから構成されている。
またシート状板３０の下端部と底壁部２との間には、前記連結手段５によりその両端部を連結して形成される筒状側壁部３を、底壁部２に着脱可能に係止するための係止手段６が設けられている。
図２にも示す係止手段６は、シート状板３０の下端部に形成された２個の円形の係合孔６１と、筒壁２２の内周面から突出して、前記した係合孔６１に嵌合可能な２個の円柱状の係合突起６２とから構成されている。
支持体４は、アルミ製の細い杆材から形成され、その上端部には、略Ｓ字状に屈曲させて成る吊り下げ部４１が設けられ、この吊り下げ部４１にブラシＢを吊り下げるようにしている。
以上の構造から成る小物収容容器を組み立てるには、支持体４の下端部を、底壁部２における任意の保持部２３の挿嵌孔２４に嵌め込むことで、支持体を底壁部２に立設する。
次に、シート状板３０を筒状に曲げて、シート状板３０の左端部に形成された連結片５１を、シート状板３０の右端部に形成された嵌合孔５２に嵌め込んで、シート状板３０の左右両端部を連結することで、円筒状側壁部３を形成する。
そしてこの円筒状側壁部３の下端部を、底壁部２の筒壁２２内に挿入するのであって、挿入に伴い、係合突起６２のガイド面６３により、筒状側壁部３を構成するシート状板３０の下端部が内方に弾性変形し、円筒状側壁部３の下端が底壁部２の底壁２１に当接した段階で、係合孔６１が係合突起と対応する位置にあれば、係合孔６１に係合突起６２が直ちに嵌合し、対応する位置に来ていない場合には、係合孔６１が係合突起と対応する位置に来るまで、円筒状側壁部３を回転させれば、その段階で係合孔６１に係合突起６２が嵌合して、円筒状側壁部３が底壁部２上に立設した状態に保持され、図１に示すような小物収容容器が完成する。
一方、以上の小物収容容器１の使用に伴い、円筒状側壁部３の内面や底壁部２内が汚れた場合には、円筒状側壁部３を弾性変形させて、係合孔６１と係合突起６２との嵌合を解除し、円筒状側壁部３を底壁部２の筒壁２２内から引き抜いた後、シート状板３０の左右両端部の連結を解除すれば、広げられたシート状板３０及び底壁部２内の洗浄が容易に行なえる。
また以上の小物収容容器において、例えば模様の異なるシート状板３０を別途用意しておき、この用意されたシート状板３０により円筒状側壁部３を形成して、底壁部２に適宜付け替えることで、小物収容容器１のデザインを簡単に変更することが出来る。
（第２実施形態）
図５〜図６において符号１０で示す小物収容容器は、トイレで用いる汚物入れとして用いられるものであって、基本的には、有底円筒状に形成された底壁部２と、この底壁部２の周囲から立ち上がる円筒状側壁部３と、持ち運びのための取っ手７と、筒状側壁部３の上端開口を閉鎖するため蓋体８とから構成されている。
【０００８】
尚、底壁部２と円筒状側壁部３の構成は、前記した第１実施形態のものと同一構造であるので、説明を省略する。
【０００９】
取っ手７は、アルミ製の細い杆材を逆Ｕ字状に屈曲させて形成したものである。
蓋体８は、筒状側壁部３の上端に嵌め込むリング状保持枠８１と、このリング状保持枠８１の開口に着脱自由に取り付けられる蓋本体８２とから構成され、これらリング状保持枠８１及び蓋本体８２は、プラスチック材から形成されている。
以上の構造から成る小物収容容器１０を組み立てるには、取っ手７の下端部を、底壁部２における２つの保持部２３の挿嵌孔２４に嵌め込むことで、支持体を底壁部２に立設する。
次に、シート状板３０を筒状に曲げて、シート状板３０の左端部に形成された連結片５１を、シート状板３０の右端部に形成され嵌合孔５２に嵌め込んで、シート状板３０の左右両端部を連結することで、円筒状側壁部３を形成する。
そしてこの円筒状側壁部３の下端部を、底壁部２の筒壁２２内に挿入するのであって、第１実施形態の場合と同様、挿入に伴い、係合突起６２のガイド面６３により、筒状側壁部３を構成するシート状板３０の下端部が内方に弾性変形し、円筒状側壁部３の下端が底壁部２の底壁２１に当接した段階で、係合孔６１が係合突起と対応する位置にあれば、係合孔６１に係合突起６２が直ちに嵌合し、対応する位置に来ていない場合には、係合孔６１が係合突起と対応する位置に来るまで、円筒状側壁部３を回転させれば、その段階で係合孔６１に係合突起６２が直ちに嵌合して、円筒状側壁部３が底壁部２上に立設する。
続いて、円筒状側壁部３内に例えばビニール製の袋Ｐを入れて、袋Ｐの開口部を円筒状側壁部３の外周りに折り返した上で、円筒状側壁部３の上端部に蓋体８のリング状保持枠８１を嵌めこみ、このリング状保持枠８１の開口に蓋本体８２を装着すると、図５に示すような小物収容容器が完成する。
一方、以上の小物収容容器１０の使用に伴い、円筒状側壁部３の内面や底壁部２が汚れた場合には、蓋体８を円筒状側壁部３から取り外した上で、円筒状側壁部３を弾性変形させて、係合孔６１と係合突起６２との嵌合を解除して、円筒状側壁部３を底壁部２の筒壁２２内から引き出した後、シート状板３０の左右両端部の連結を解除すれば、広げられたシート状板３０及び底壁部２内、更には蓋体８の洗浄が容易に行なえる。
また以上の小物収容容器１０においても、例えば模様の異なるシート状板３０を別途用意しておき、この用意されたシート状板３０により円筒状側壁部３を形成して、底壁部２に適宜付け替えることで、小物収容容器１０のデザインを簡単に変更することが出来る。
以上の実施形態では、筒状側壁部３を底壁部２に着脱可能に係止するための係止手段６を、シート状板３０の下端部に形成された一対の円形の係合孔６１と、筒壁２２の内周面から突出して、前記した係合孔６１に嵌合可能な一対の円柱状の係合突起６２とから構成したが、これに限定されるものではなく、例えば、図７及び図８に示すような係止手段６０でもよい。
即ち図７、図８に示す係止手段６０は、シート状板３０の下端からＬ字状に突出する係合片６４と、底壁部２の筒壁２２に形成されて前述の係合片６４が挿通可能なスリット状の貫通孔６５とから構成してもよく、以上の係止手段６では、シート状板３０を円筒状にして形成した円筒状側壁部３を筒壁２２内に挿入して、係合片６４を貫通孔６５に挿通した上で、円筒状側壁部３を底壁部２に対して所定角度回転させて、係合片６４の先端部を底壁部２に係止させることで、円筒状側壁部３を底壁部２に組み付けることが出来る。
【００１０】
また以上の実施形態では、連結手段５を、シート状板３０の左端部に形成された連結片５１と、シート状板３０の右端部に形成されて、前述の連結片５１が挿嵌可能な嵌合孔５２とから構成したが、これに限定されるものではなく、例えばシート状板の両端部にホック部材を取り付けて、このホック部材を介してシート状板３０を円筒状にするようにしてもよい。
【図面の簡単な説明】
【００１１】
【図１】本発明にかかる小物収容容器の第１実施形態を示す斜視図。
【図２】同、要部の断面図。
【図３】小物収容容器を構成する底壁部の平面図。
【図４】小物収容容器を構成するシート状板の正面図。
【図５】本発明にかかる小物収容容器の第２実施形態を示す斜視図。
【図６】同、要部を一部切断して示す正面図。
【図７】係止手段の別の実施形態を示す小物収容容器の要部の断面図。
【図８】円筒状側壁部の別の実施形態を示す斜視図。
【符号の説明】
【００１２】
１・１０  小物収容容器
２        底壁部
２１      底壁
２２      筒壁
３        円筒状側壁部
３０      シート状板
４        支持体
５        連結手段
５１      連結片
５２      嵌合孔
６・６０  係止手段
６１      係合孔
６２      係合突起
８        蓋体
【図１】
2007054348.tif 000003
【図２】
2007054348.tif 000004
【図３】
2007054348.tif 000005
【図４】
2007054348.tif 000006
【図５】
2007054348.tif 000007
【図６】
2007054348.tif 000008
【図７】
2007054348.tif 000009
【図８】
2007054348.tif 000010